(57)【要約】【課題】プロジェクタに接続されたケーブルの断線が分かるプロジェクタを提供する。【解決手段】映像出力装置に接続するために、種類の異なる複数の入力端子１,２のうち少なくとも１つの入力端子を備え、この入力端子と前記映像出力装置とを専用のケーブルで接続して、前記映像出力装置から出力される映像信号に基づいた映像をスクリーン２００に投影するプロジェクタ１００であって、前記映像出力装置とプロジェクタ１００とが前記専用のケーブルで接続されたとき、該専用のケーブルが断線しているかどうかを診断する映像信号処理部と、映像信号処理部がケーブルが断線していると診断したとき、これを報知する文章をスクリーン２００に投影する。【選択図】図１
2017026756.tif 000002
【特許請求の範囲】
【請求項１】
映像出力装置に接続するために、種類の異なる複数の入力端子のうち少なくとも１つの入力端子を備え、この入力端子と前記映像出力装置とを専用のケーブルで接続して、前記映像出力装置から出力される映像信号に基づいた映像をスクリーンに投影するプロジェクタであって、
前記映像出力装置とプロジェクタとが前記専用のケーブルで接続されたとき、該専用のケーブルの断線を検出する断線検出手段と、
該断線検出手段がケーブルの断線を検出したとき、これを報知する報知手段とを設けたことを特徴とするプロジェクタ。
【請求項２】
前記映像信号のレベル又は品質を判断する判断手段を備えたことを特徴とする請求項１に記載のプロジェクタ。
【請求項３】
前記断線検出手段は、前記専用のケーブルから送信されてくる全信号の状態から該ケーブルの断線を判断することを特徴とする請求項１または請求項２に記載のプロジェクタ。
【請求項４】
前記報知手段は、前記スクリーンを有し、該スクリーンに断線である旨を表示させることを特徴とする請求項１ないし請求項３のいずれか１項に記載のプロジェクタ。
【発明の詳細な説明】
【技術分野】
【０００１】
この発明は、スクリーンに映像を投影するプロジェクタに関するものである。
【背景技術】
【０００２】
従来から、映像出力装置から出力される映像信号に基づいてスクリーンに映像を投影するプロジェクタが知られている（特許文献１参照）。
【０００３】
かかるプロジェクタは、映像出力装置の出力端子の種類に対応できるように各種の入力端子、例えば、ＶＡＧ端子、Ｖideo端子、ＨＤＭＩ（登録商標）端子などを備えている。そして、各ＶＡＧ端子、Ｖideo端子、ＨＤＭＩ（登録商標）端子に対応した専用のケーブルで映像出力装置とプロジェクタとを接続するものである。映像出力装置から出力される映像信号は専用のケーブルを介してプロジェクタに入力され、プロジェクタは入力される映像信号に基づいてスクリーンに映像を投影する。
【発明の概要】
【発明が解決しようとする課題】
【０００４】
しかしながら、このようなプロジェクタにあっては、映像出力装置とプロジェクタとをケーブルを接続したとき、スクリーンに映像が投影されない場合、ケーブルの断線によるものなのか、プロジェクタの故障によるものなのかが分からなかった。
【０００５】
この発明の目的は、ケーブルが断線してスクリーンに映像が投影されない場合、そのケーブルの断線が分かるプロジェクタを提供することにある。
【課題を解決するための手段】
【０００６】
請求項１の発明は、映像出力装置に接続するために、種類の異なる複数の入力端子のうち少なくとも１つの入力端子を備え、この入力端子と前記映像出力装置とを専用のケーブルで接続して、前記映像出力装置から出力される映像信号に基づいた映像をスクリーンに投影するプロジェクタであって、
前記映像出力装置とプロジェクタとが前記専用のケーブルで接続されたとき、該専用のケーブルの断線を検出する断線検出手段と、
該断線検出手段がケーブルの断線を検出したとき、これを報知する報知手段とを設けたことを特徴とする。
【発明の効果】
【０００７】
この発明によれば、ケーブルが断線してスクリーンに映像が投影されない場合、そのケーブルの断線が分かる。
【図面の簡単な説明】
【０００８】
【図１】この発明に係るプロジェクタの実施例の構成を示したブロック図である。
【図２】（Ａ）はＶＧＡケーブルの端子の配置を示した説明図、（Ｂ）はＶideoケーブルの端子を示した説明図、（Ｃ）はＨＤＭＩ（登録商標）ケーブルの端子の配置を示した説明図である。
【図３】（Ａ）はＶＧＡケーブルで使用する信号例、（Ｂ）はＶideoケーブルで使用する信号例、（Ｃ）はＨＤＭＩ（登録商標）ケーブルで使用する信号例を示す。
【図４】（Ａ）はＯＳＤメニューの一例を示し、（Ｂ）はＯＳＤメニューの他の例を示し、（Ｃ）は別なＯＳＤメニューの他の例を示す。
【図５】ＶＧＡケーブルの断線を検知するフロー図を示す。
【図６】Ｖideoケーブルの断線を検知するフロー図を示す。
【図７】ＨＤＭＩ（登録商標）ケーブルの断線を検知するフロー図を示す。
【発明を実施するための形態】
【０００９】
以下、この発明に係るプロジェクタの実施の形態である実施例を図面に基づいて説明する。
【実施例】
【００１０】
図１は、プロジェクタ１００の構成を示す。このプロジェクタ１００は、入力端子１,２に入力されるＰＣ画像やＤＶＤ映像をスクリーン２００上に拡大投影する投射装置である。
【００１１】
プロジェクタ１００は、映像信号処理部３と、スケーラ４と、制御部（ＣＰＵ）５と、メモリ６と、操作部７と、ドライブ回路８と、表示素子９と、光源１０と、投影光学系１１とを備えている。
【００１２】
入力端子１は、ＶＧＡケーブル（ケーブル）Ｋ１とＶideoケーブル（ケーブル）Ｋ２が接続できるように２つの専用の端子を有している。入力端子２はＨＤＭＩ（登録商標）ケーブル（ケーブル）Ｋ３が接続できるようになっている。
【００１３】
映像信号処理部３は、入力端子１,２を介して入力される外部機器からの映像信号をスケーラ４に入力させることができる映像デジタル信号に変換する。
【００１４】
また、映像信号処理部３は、入力端子１,２に接続されたケーブＫ１,Ｋ２,Ｋ３の断線を検出する断線検出手段と、ケーブルを介して入力端子１,２に入力する映像信号のレベルまたは品質を判断する判断手段としての機能を有している。
【００１５】
スケーラ４は、映像信号処理部３から出力される映像デジタル信号を入力して、この映像デジタル信号のタイミングから縦、横の画素数を判断する。さらに、プロジェクタ１００の出力画素数のアスペクト比に対して、入力映像がスクリーン２００に投影される際に最適表示となるように自動でスケーリングを行う。
【００１６】
制御部５は、マイクロコントローラ(マイコン)で構成され、ＣＰＵ（中央演算処理ユニット）、ＲＯＭ、ＲＡＭなどの演算回路および記憶回路を備えている。また制御部５は、プロジェクタ１００の全般的な制御を行うとともに、各種の設定及び比較を行うための制御を行う。
【００１７】
また、制御部５は、映像信号処理部３が検出する各信号の状態に応じて、スクリーン２００に後述する図４に示すＯＳＤメニューＭ１〜Ｍ３を投影させたりする。
【００１８】
メモリ６は、制御部５で設定された内容を記憶する不揮発性メモリであり、プロジェクタ１００は電源オフ後も前回の設定内容（言語設定など）が保存される。
【００１９】
操作部７は、プロジェクタ本体の操作パネル上のキー入力部またはリモコン送信器のキー入力部などで構成されている。例えば、プロジェクタ１００の各種設定や選択を行うためのメニュー画面を表示させるメニューキーなどを備えている。
【００２０】
ドライブ回路８は、スケーラ４からのスケーリングされた映像信号及びその同期信号が入力され、表示素子９を駆動させる。
【００２１】
表示素子９は、液晶パネルやＤＭＤなどの表示パネルで構成され、スケーリングされた映像を表示し、その映像によって光源１０からの光を変調する。
【００２２】
投影光学系１１は、投射レンズを含み、表示素子９からの映像光をスクリーン（報知手段）２００上に拡大投影する。
【００２３】
図２の（Ａ）〜図２の（Ｃ）は、プロジェクタ１００の入力端子１,２（図１参照）に接続するケーブル端子を示す。
【００２４】
図２の（Ａ）は、ＶＧＡケーブルＫ１のケーブル端子２０を示す。このケーブル端子２０のピンのうち信号検知に使用するピンは、１pin（Ｒ信号）と、２pin（Ｇ信号）と、３pin（Ｂ信号）と、９pin（５Ｖ信号）と、１３pin（水平同期信号）と、１４pin（垂直同期信号）とである。
【００２５】
図２の（Ｂ）は、ＶideoケーブルＫ２のケーブル端子３０を示す。信号検知に使用するケーブル端子３０のピンは、１pin（コンポジット信号）のみである。
【００２６】
図２の（Ｃ）は、ＨＤＭＩ（登録商標）ケーブルＫ３のケーブル端子４０を示す。信号検知に使用するケーブル端子４０のピンは、１,３,４,６,７,９,１０,１２pin（ＴＭＤＳ信号）と、１８pin（５Ｖ信号）である。
【００２７】
図３の（Ａ）は、ＶＧＡケーブルで使用する信号例を示す。Ｒ/Ｇ/Ｂは映像信号であり、映像のパターンで信号レベルが変わる。白画像の場合には振幅が最大となり、黒画像の場合には信号レベルはゼロレベルとなる。
【００２８】
ユーザが入力端子１,２（図１参照）に接続したＰＣやゲーム機などから出力される映像によっては、信号レベルがゼロレベルになる場合がある。このような場合、誤判定しないように、図４に示すＯＳＤメニューＭ１をスクリーン２００に投影してユーザに確認するようにする。
【００２９】
図３の（Ａ）に示す水平/垂直同期信号は周期的な信号となっており、この信号が検知できなければ、ケーブルＫ１が断線していると判断することができる。この場合、映像は投影できないので、「ケーブルが断線している」などの文章をスクリーン２００に表示させる。
【００３０】
また、予め投影機器が対応している水平/垂直同期信号の周波数が分かっているので、水平/垂直同期信号の周波数が対応範囲内か否かを判定することにより、ケーブルＫ１の断線を判断することができる。
【００３１】
図３の（Ｂ）は、Ｖideoケーブルで使用する信号の一例を示すものであり、この信号は、映像信号と同期信号が複合しているコンポジット信号である。この信号から同期信号を分離した後、垂直同期信号があるか否かを判断することにより、ケーブルが断線しているか否かを判断することができる。
【００３２】
図３の（Ｃ）は、ＨＤＭＩ（登録商標）ケーブルＫ３で使用する信号を示す。ＴＭＤＳ信号は、受け側のレシーバ信号で検知し、ケーブル特性が悪く、信号劣化によって投影できない場合、断線と判断した場合と同様に、図４に示すＯＳＤメニューＭ２をスクリーン２００に投影し、ケーブルの交換を促す。
【００３３】
図４は、プロジェクタ１００の入力端子１,２に接続したケーブルＫ１〜Ｋ３の状態や注意事項をスクリーン２００に投影してユーザに知らせるＯＳＤメニューＭ１,Ｍ２,Ｍ３を示す。
【００３４】
ＯＳＤメニューＭ１は、ＶＧＡケーブルＫ１をプロジェクタ１００の入力端子１（図１参照）に接続しているとき、全黒パターン画面を使用している場合、誤判定をする可能性がある。このため、映像パターンをユーザに確認してもらうための表示画面である。
【００３５】
ＯＳＤメニューＭ１は、ＶＧＡケーブルＫ１を接続して、初めて信号を検知したときに、映像信号レベルがゼロの場合のみ表示する。
【００３６】
映像検知後、映像パターンが切り替わって全黒パターンになったとしても、使用中にＶＧＡケーブルＫ１が断線してしまうことはないので、無視するようにする。
【００３７】
ＯＳＤメニューＭ２は、各ケーブルＫ１〜Ｋ３が断線していると判断された場合に、スクリーン２００に投影されて表示され、ユーザにケーブルを取り替えてもらうことを促すための画像である。この画像をユーザが見ることにより、入力した画像が投影されなくても、映像機器側の問題ではなく、ケーブルの問題であることを認識してもらえる。
【００３８】
ＯＳＤメニューＭ３は、入力信号を検知することができなかったときにスクリーン２００に投影されて表示される。ケーブルがプロジェクタ１００に接続されている状態のとき、この画面が表示された場合、ケーブルの断線と考えられるので、ＯＳＤメニューＭ３はユーザにケーブルの交換を促すための画面である。
［動  作］
次に、上記のように構成されるプロジェクタ１００の断線検知を行う検出シーケンスの処理動作を説明する。
［ＶＧＡケーブル］
図５は、ＶＧＡケーブルＫ１の接続時の検出シーケンスのフロー図であり、このフロー図に基づいて説明する。なお、フロー図ではステップをＳと表記する。
【００３９】
先ず、映像機器（映像出力装置）及びプロジェクタ１００の電源をオンにする。
【００４０】
ステップ１では、映像機器とプロジェクタ１００の入力端子１とをＶＧＡケーブルＫ１で接続する。
【００４１】
ステップ２では、５Ｖ信号を検知したか否かが判断され、５Ｖ信号を検知すればイエスと判断されてステップ３へ進む。
【００４２】
ステップ３では、水平/垂直同期信号を検知したか否かが判断され、検知した場合、イエスと判断されてステップ４へ進む。
【００４３】
ステップ４では、Ｒ/Ｇ/Ｂ信号の全てを検知したか否かが判断される。すなわち、Ｒ/Ｇ/Ｂ信号の全ての信号レベルをチェックし、信号レベルに問題なければ正常なので、イエスと判断されてステップ５へ進む。
【００４４】
ステップ５では、プロジェクタ１００の入力端子１に接続したＶＧＡケーブルＫ１は正常であると判断して、検出シーケンスの処理動作は終了する。
【００４５】
すなわち、５Ｖ信号、水平/垂直同期信号、Ｒ/Ｇ/Ｂ信号などの全てを検知すれば、ＶＧＡケーブルＫ１は正常と判断し、ケーブルチェックが完了することになる。
【００４６】
ステップ４で、Ｒ/Ｇ/Ｂ信号のうち１つでも信号レベルがゼロの信号があれば、ノーと判断されてステップ６へ進む。
【００４７】
ステップ６では、図４に示すＯＳＤメニューＭ１をスクリーン２００に投影し、ステップ７へ進む。
【００４８】
ステップ７では、ユーザが「はい/いいえ」を選択するのを待ち、「いいえ」を選択すれば、ＶＧＡケーブルＫ１は正常なので、ケーブルチェックは完了する。「はい/いいえ」の選択は、操作部７の所定のキーによって選択する。
【００４９】
ステップ７で「はい」を選択するとステップ１１へ進む。ステップ１１では、ＶＧＡケーブルＫ１に断線ありと判断し、ステップ１２へ進む。
【００５０】
ステップ１２では、図４に示すＯＳＤメニューＭ２をスクリーン２００に表示し、ユーザに接続してあるＶＧＡケーブルＫ１の交換を促して終了する。
【００５１】
ステップ２において、５Ｖ信号が検知できなかった場合、ノーと判断されてステップ８へ進む。
【００５２】
ステップ８では、水平/垂直同期信号を検出したか否かが判断され、イエスであればステップ１１へ進む。水平/垂直同期信号を検出した場合、５Ｖラインの断線の可能性が高いので、ステップ１１,１２へ進み、図４に示すＯＳＤメニューＭ２をスクリーン２００に表示し、ユーザに接続してあるＶＧＡケーブルＫ１の交換を促して、検出シーケンスの処理動作は終了することになる。
【００５３】
ステップ８で、水平/垂直同期信号が検出できない場合、ノーと判断されてステップ９へ進む。
【００５４】
ステップ９では、Ｒ/Ｇ/Ｂ信号の全てを検知したか否かが判断され、検知できた場合、イエスと判断されてステップ１１へ進む。この場合、５Ｖライン及び水平/垂直同期信号ラインが断線している可能性が高いので、ステップ１１,１２へ進み、図４に示すＯＳＤメニューＭ２をスクリーン２００に投影し、ユーザに接続してあるＶＧＡケーブルＫ１の交換を促して終了する。
【００５５】
ステップ９で、Ｒ/Ｇ/Ｂ信号が検知できない場合、ノーと判断されてステップ１０へ進む。ステップ９でノーと判断された場合、ＶＧＡケーブルＫ１が接続されていないか、５Ｖ信号ライン、水平/垂直同期信号ライン、RGB信号ラインの全てが断線している可能性がある。
【００５６】
ステップ１０では、図４に示すＯＳＤメニューＭ３をスクリーン２００に表示し、ＶＧＡケーブルＫ１を繋げている場合には、そのＶＧＡケーブルＫ１が断線しているので、ユーザにケーブルの交換を促して、検出シーケンスの処理動作は終了する。
【００５７】
ステップ３で、水平/垂直同期信号が検知できなかった場合、ノーと判断されてステップ１１へ進む。この場合、水平/垂直同期信号ラインが断線している可能性が高いので、ステップ１１,１２へと進み、図４に示すＯＳＤメニューＭ２をスクリーン２００に表示し、ユーザに接続ケーブルの交換を促す。
【００５８】
このように、ＶＧＡケーブルＫ１が断線している場合、スクリーン２００にＯＤＳメニューＭ２,Ｍ３が表示されるので、ＶＧＡケーブルＫ２の断線によってスクリーン２００に映像が投影されていないことが分かる。このため、スクリーン２００に映像が投影されない場合、従来のように、プロジェクタ１００が故障しているのか、ＶＧＡケーブルＫ１が断線しているのかが分からないということがなく、速やかに対処することができる。
【００５９】
ところで、各ステップ２,３,４,８,９で行う判断は映像信号処理部３が行い、この判断の結果に基づいて、制御部５は映像信号処理部３を制御してスクリーン２００にＯＳＤメニューＭ１〜Ｍ３を投影させる。
［Ｖideoケーブル］
図６は、ＶideoケーブルＫ２の接続時の検出シーケンスのフロー図を示したものであり、このフロー図に基づいて説明する。
【００６０】
先ず、映像機器及びプロジェクタ１００の電源をオンにしておく。
【００６１】
ステップ２０では、映像機器とプロジェクタ１００の入力端子１とをＶideoケーブルＫ２で接続する。
【００６２】
ステップ２１では、同期信号が検知されたか否かが判断され、同期信号が検知されるとイエスと判断されてステップ２２へ進む。
【００６３】
ステップ２２では、入力端子１に接続されているＶideoケーブルＫ２は正常であると判断してケーブルチェックが完了し、検出シーケンスの処理動作は終了する。
【００６４】
ステップ２１で、同期信号が検知されなかった場合、ノーと判断されてステップ２３へ進む。
【００６５】
ステップ２３では、図４に示すＯＳＤメニューＭ３をスクリーン２００に表示し、ＶideoケーブルＫ２を入力端子１に接続している場合には、ＶideoケーブルＫ２が断線しているので、ユーザにＶideoケーブルＫ２の交換を促して終了する。
【００６６】
このように、ＶideoケーブルＫ２が断線している場合、スクリーン２００にＣＤＳメニューＭ２,Ｍ３が表示されるので、ＶideoケーブルＫ２の断線によってスクリーン２００に映像が投影されていないことが分かる。このため速やかに対処することができる。
［ＨＤＭＩ（登録商標）ケーブル］
図７は、ＨＤＭＩ（登録商標）ケーブルＫ３の接続時の検出シーケンスのフロー図を示したものであり、このフロー図に基づいて説明する。
【００６７】
先ず、映像機器及びプロジェクタ１００の電源をオンにしておく。
【００６８】
ステップ３０では、映像機器とプロジェクタ１００の入力端子２とをＨＤＭＩ（登録商標）ケーブルＫ３で接続する。
【００６９】
ステップ３１では、５Ｖ信号を検知したか否かが判断され、５Ｖ信号を検知すればイエスと判断されてステップ３２へ進む。
【００７０】
ステップ３２は、ＴＭＤＳ信号を認識できているか否かが判断される。すなわち、ＴＭＤＳ信号のすべてが問題のないレベルであり、信号品質も問題ない場合、イエスと判断されてステップ３３へ進む。
【００７１】
ステップ３３では、プロジェクタ１００の入力端子１に接続したＨＤＭＩ（登録商標）ケーブルＫ３は正常であると判断して終了する。
【００７２】
ステップ３１で、５Ｖ信号が検知できなかった場合、ノーと判断されてステップ３４へ進む。
【００７３】
ステップ３４では、図４に示すＯＳＤメニューＭ３をスクリーン２００に表示し、ＨＤＭＩ（登録商標）ケーブルＫ３を繋げている場合には、ＨＤＭＩ（登録商標）ケーブルＫ３が断線しているので、ユーザにＨＤＭＩ（登録商標）ケーブルＫ３の交換を促して、検出シーケンスの処理動作は終了する。
【００７４】
ステップ３２で、ＴＭＤＳ信号を認識できない場合、ノーと判断されてステップ３５へ進む。
【００７５】
ステップ３５では、ＨＤＭＩ（登録商標）ケーブルＫ３に断線ありと判断し、ステップ３６へ進む。
【００７６】
ステップ３６では、図４に示すＯＳＤメニューＭ２をスクリーン２００に表示し、ユーザに接続ケーブルＫ３の交換を促して、検出シーケンスの処理動作は終了する。
【００７７】
このように、ＨＤＭＩ（登録商標）ケーブルＫ３が断線している場合、スクリーン２００にＯＤＳメニューＭ２,Ｍ３が表示されるので、ＨＤＭＩ（登録商標）ケーブルＫ３の断線によってスクリーン２００に映像が投影されていないことが分かる。このため速やかに対処することができる。
【００７８】
上記実施例では、ＯＤＳメニューＭ１〜Ｍ３をスクリーン２００に投影しているが、これに限らず、例えばプロジェクタ１００の操作部に表示部を設けて、この表示部に表示するようにしてもよい。この場合、ＯＤＳメニューＭ１の「はい/いいえ」の選択は、その表示部にタッチパネルを設けて行うようにしてもよい。
【００７９】
また、上記実施例では、種類の異なる複数の入力端子１,２を設けたプロジェクタ１００について説明したが、これに限らす、例えば１つの入力端子だけを設けたプロジェクタであってもよい。
【００８０】
この発明は、上記実施例に限られるものではなく、特許請求の範囲の発明の要旨を逸脱しない限り、設計の変更や追加等は許容される。
【符号の説明】
【００８１】
１            入力端子
２            入力端子
３            映像信号処理部（断線検出手段）
４            スケーラ
５            制御部
８            ドライブ回路
９            表示素子
１１            投影光学系
１００            プロジェクタ
２００            スクリーン（報知手段）
Ｋ１            ＶＧＡケーブル（ケーブル）
Ｋ２            Ｖideoケーブル（ケーブル）
Ｋ３            ＨＤＭＩ（登録商標）ケーブル（ケーブル）
【先行技術文献】
【特許文献】
【００８２】
【特許文献１】特開２０１０-２００２２３号公報
【図１】
2017026756.tif 000003
【図２】
2017026756.tif 000004
【図３】
2017026756.tif 000005
【図４】
2017026756.tif 000006
【図５】
2017026756.tif 000007
【図６】
2017026756.tif 000008
【図７】
2017026756.tif 000009